【手続補正書】
【提出日】平成23年11月4日(2011.11.4)
【手続補正１】
【補正対象書類名】特許請求の範囲
【補正対象項目名】全文
【補正方法】変更
【補正の内容】
【特許請求の範囲】
【請求項１】
アプリケーションを利用するクライアント装置と、当該クライアント装置の動作を管理する管理サーバ装置と、を有する情報処理システムであって、
前記クライアント装置は、
複数のアプリケーションを実行可能なウィンドウシステムを提供する提供手段と、
前記ウィンドウシステムにおいてアプリケーションを利用可能に表示する表示手段と、
前記ウィンドウシステムにおける最前面のウィンドウのキャプション名を取得する取得手段と、
取得した前記キャプション名を、取得した取得日時を含む取得情報とともに前記管理サーバ装置へ送信する送信手段と、
を備え、
前記管理サーバ装置は、
前記クライアント装置から受信した前記取得情報により前記キャプション名で識別されるアプリケーションの利用状況を算出する算出手段と、
算出した前記利用状況を記憶手段に記憶させる記憶制御手段と、
を備えることを特徴とする情報処理システム。
【請求項２】
前記取得手段は、前記ウィンドウシステムにおける最前面のウィンドウで表示されているアプリケーションが切り替わったことに応じて、当該最前面のウィンドウのキャプション名を取得する
ことを特徴とする請求項１に記載の情報処理システム。
【請求項３】
前記取得手段は、前記ウィンドウシステムにおける最前面のウィンドウが切り替わったことに応じて、当該最前面のウィンドウのキャプション名を取得する
ことを特徴とする請求項１または２に記載の情報処理システム。
【請求項４】
前記算出手段は、前記クライアント装置から受信した前記取得情報に含まれる前記取得日時の差分により前記キャプション名で識別されるアプリケーションの利用時間を算出する
ことを特徴とする請求項１から３のいずれか１項に記載の情報処理システム。
【請求項５】
前記クライアント装置は、当該クライアント装置の指示入力装置に対するユーザの操作を記録する記録手段をさらに備え、
前記送信手段は、定期的に前記操作の記録を前記管理サーバ装置へ送信し、
前記管理サーバ装置は、受信した前記操作の記録から前記指示入力装置のユーザから操作されなかった時間を計算する計算手段をさらに備え、
前記算出手段は、前記計算手段が計算した操作されなかった時間を前記利用時間から差し引く
ことを特徴とする請求項４に記載の情報処理システム。
【請求項６】
前記操作の記録には前記指示入力装置に対する操作回数が含まれ、
前記計算手段は、前記操作回数が０から増加しない期間を前記操作されなかった時間として計算する
ことを特徴とする請求項５に記載の情報処理システム。
【請求項７】
前記取得手段は、前記最前面のウィンドウの前記キャプション名が切り替わったことに応じて、当該最前面のウィンドウのキャプション名を取得する
ことを特徴とする請求項１から６のいずれか１項に記載の情報処理システム。
【請求項８】
前記取得手段は、前記最前面のウィンドウで実行されているプロセスのプロセス名をさらに取得し、
前記送信手段は、取得した前記プロセス名をさらに前記管理サーバ装置へ送信し、
前記算出手段は、前記クライアント装置から受信した前記プロセス名ごとに前記利用状況を算出し、
前記記憶制御手段は、前記プロセス名ごとに、前記利用状況と前記キャプション名を前記記憶制御手段に記憶させる
ことを特徴とする請求項１から７のいずれか１項に記載の情報処理システム。
【請求項９】
前記送信手段は、前記クライアント装置のユーザ名をさらに前記管理サーバ装置へ送信し、
前記記憶制御手段は、前記クライアント装置から受信した前記ユーザ名ごとに、前記利用状況と前記キャプション名を前記記憶制御手段に記憶させる
ことを特徴とする請求項１から８のいずれか１項に記載の情報処理システム。
【請求項１０】
ネットワーク上で提供されるアプリケーションを利用するクライアント装置であって、
複数のアプリケーションを実行可能なウィンドウシステムを提供する提供手段と、
前記ウィンドウシステムにおいてアプリケーションを利用可能に表示する表示手段と、
前記ウィンドウシステムにおける最前面のウィンドウのキャプション名を取得する取得手段と、
取得した前記キャプション名を、取得した取得日時を含む取得情報とともに、当該クライアント装置の動作を管理する管理サーバ装置へ送信する送信手段と、
を備えることを特徴とするクライアント装置。
【請求項１１】
ネットワーク上で提供されるアプリケーションを利用するクライアント装置を管理する、管理サーバ装置であって、
前記クライアント装置のウィンドウシステムにて取得された、最前面のウィンドウのキャプション名と、その取得日時を含む取得情報とを、該クライアント装置から受信する受信手段と、
前記クライアント装置から受信した前記取得情報により前記キャプション名で識別されるアプリケーションの利用状況を算出する算出手段と、
算出した前記利用状況を記憶手段に記憶させる記憶制御手段と、
を備えることを特徴とする管理サーバ装置。
【請求項１２】
ネットワーク上で提供されるアプリケーションを利用するクライアント装置と、当該クライアント装置の動作を管理する管理サーバ装置と、を有する情報処理システムにおける情報処理方法であって、
前記クライアント装置における、
複数のアプリケーションを実行可能なウィンドウシステムを提供する提供工程と、
前記ウィンドウシステムにおいてアプリケーションを利用可能に表示する表示工程と、
前記ウィンドウシステムにおける最前面のウィンドウのキャプション名を取得する取得工程と、
取得した前記キャプション名を、取得した取得日時を含む取得情報とともに前記管理サーバ装置へ送信する送信工程と、
前記管理サーバ装置における、
前記クライアント装置から受信した前記取得情報により前記キャプション名で識別されるアプリケーションの利用状況を算出する算出工程と、
算出した前記利用状況を記憶手段に記憶させる記憶制御工程と、
を有することを特徴とする情報処理方法。
【請求項１３】
ネットワーク上で提供されるアプリケーションを利用するクライアント装置の制御方法であって、
複数のアプリケーションを実行可能なウィンドウシステムを提供する提供工程と、
前記ウィンドウシステムにおいてアプリケーションを利用可能に表示する表示工程と、
前記ウィンドウシステムにおける最前面のウィンドウのキャプション名を取得する取得工程と、
取得した前記キャプション名を、取得した取得日時を含む取得情報とともに、当該クライアント装置の動作を管理する管理サーバ装置へ送信する送信工程と、
を備えることを特徴とするクライアント装置の制御方法。
【請求項１４】
ネットワーク上で提供されるアプリケーションを利用するクライアント装置を管理する、管理サーバ装置の制御方法であって、
前記クライアント装置のウィンドウシステムにて取得された、最前面のウィンドウのキャプション名と、その取得日時を含む取得情報とを、該クライアント装置から受信する受信工程と、
前記クライアント装置から受信した前記取得情報により前記キャプション名で識別されるアプリケーションの利用状況を算出する算出工程と、
算出した前記利用状況を記憶手段に記憶させる記憶制御工程と、
を備えることを特徴とする管理サーバ装置の制御方法。
【請求項１５】
複数のアプリケーションを実行可能なウィンドウシステムを提供する提供手段と、
前記ウィンドウシステムにおいてアプリケーションを利用可能に表示する表示手段と、
前記ウィンドウシステムにおける最前面のウィンドウのキャプション名を取得する取得手段と、
前記キャプション名を取得した取得時間を含む取得情報により前記キャプション名で識別されるアプリケーションの利用状況を算出する算出手段と、
算出した前記利用状況を記憶手段に記憶させる記憶制御手段と、
を備えることを特徴とするクライアント装置。
【請求項１６】
複数のアプリケーションを実行可能なウィンドウシステムを提供する提供工程と、
前記ウィンドウシステムにおいてアプリケーションを利用可能に表示する表示工程と、
前記ウィンドウシステムにおける最前面のウィンドウのキャプション名を取得する取得工程と、
前記キャプション名を取得した取得時間を含む取得情報により前記キャプション名で識別されるアプリケーションの利用状況を算出する算出工程と、
算出した前記利用状況を記憶手段に記憶させる記憶制御工程と、
を備えることを特徴とするクライアント装置の制御方法。
【請求項１７】
コンピュータを、請求項１０、または１５に記載のクライアント装置、または、請求項１１に記載の管理サーバ装置として機能させるためのプログラム。
【請求項１８】
請求項１７に記載のプログラムを格納したコンピュータ読み取り可能な記録媒体。
【手続補正２】
【補正対象書類名】明細書
【補正対象項目名】０００１
【補正方法】変更
【補正の内容】
【０００１】
本発明は情報処理システム、情報処理方法、クライアント装置及びその制御方法、管理サーバ装置及びその制御方法、プログラム、記録媒体に関し、特に、クライアント装置におけるアプリケーションの使用を管理する技術に関する。
【手続補正３】
【補正対象書類名】明細書
【補正対象項目名】００１１
【補正方法】変更
【補正の内容】
【００１１】
本発明は以上の課題に鑑みてなされたものであり、アプリケーションの現実の利用態様をより正確に把握可能にする技術を提供することを目的とする。
【手続補正４】
【補正対象書類名】明細書
【補正対象項目名】００１２
【補正方法】変更
【補正の内容】
【００１２】
上記目的を達成するため、本発明によれば、ネットワーク上で提供されるアプリケーションを利用するクライアント装置と、当該クライアント装置の動作を管理する管理サーバ装置と、を有する情報処理システムであって、
前記クライアント装置は、
複数のアプリケーションを実行可能なウィンドウシステムを提供する提供手段と、
前記ウィンドウシステムにおいてアプリケーションを利用可能に表示する表示手段と、
前記ウィンドウシステムにおける最前面のウィンドウのキャプション名を取得する取得手段と、
取得した前記キャプション名を、取得した取得日時を含む取得情報とともに前記管理サーバ装置へ送信する送信手段と、
を備え、
前記管理サーバ装置は、
前記クライアント装置から受信した前記取得情報により前記キャプション名で識別されるアプリケーションの利用状況を算出する算出手段と、
算出した前記利用状況を記憶手段に記憶させる記憶制御手段と、
を備えることを特徴とする情報処理システムが提供される。
【手続補正５】
【補正対象書類名】明細書
【補正対象項目名】００１３
【補正方法】変更
【補正の内容】
【００１３】
また、本発明によれば、ネットワーク上で提供されるアプリケーションを利用するクライアント装置であって、
複数のアプリケーションを実行可能なウィンドウシステムを提供する提供手段と、
前記ウィンドウシステムにおいてアプリケーションを利用可能に表示する表示手段と、
前記ウィンドウシステムにおける最前面のウィンドウのキャプション名を取得する取得手段と、
取得した前記キャプション名を、取得した取得日時を含む取得情報とともに、当該クライアント装置の動作を管理する管理サーバ装置へ送信する送信手段と、
を備えることを特徴とするクライアント装置が提供される。
【手続補正６】
【補正対象書類名】明細書
【補正対象項目名】００１４
【補正方法】変更
【補正の内容】
【００１４】
また、本発明によれば、ネットワーク上で提供されるアプリケーションを利用するクライアント装置を管理する、管理サーバ装置であって、
前記クライアント装置のウィンドウシステムにて取得された、最前面のウィンドウのキャプション名と、その取得日時を含む取得情報とを、該クライアント装置から受信する受信手段と、
前記クライアント装置から受信した前記取得情報により前記キャプション名で識別されるアプリケーションの利用状況を算出する算出手段と、
算出した前記利用状況を記憶手段に記憶させる記憶制御手段と、
を備えることを特徴とする管理サーバ装置が提供される。
【手続補正７】
【補正対象書類名】明細書
【補正対象項目名】００１５
【補正方法】変更
【補正の内容】
【００１５】
また、本発明によれば、ネットワーク上で提供されるアプリケーションを利用するクライアント装置と、当該クライアント装置の動作を管理する管理サーバ装置と、を有する情報処理システムにおける情報処理方法であって、
前記クライアント装置における、
複数のアプリケーションを実行可能なウィンドウシステムを提供する提供工程と、
前記ウィンドウシステムにおいてアプリケーションを利用可能に表示する表示工程と、
前記ウィンドウシステムにおける最前面のウィンドウのキャプション名を取得する取得工程と、
取得した前記キャプション名を、取得した取得日時を含む取得情報とともに前記管理サーバ装置へ送信する送信工程と、
前記管理サーバ装置における、
前記クライアント装置から受信した前記取得情報により前記キャプション名で識別されるアプリケーションの利用状況を算出する算出工程と、
算出した前記利用状況を記憶手段に記憶させる記憶制御工程と、
を有することを特徴とする情報処理方法が提供される。
【手続補正８】
【補正対象書類名】明細書
【補正対象項目名】００１６
【補正方法】変更
【補正の内容】
【００１６】
また、本発明によれば、ネットワーク上で提供されるアプリケーションを利用するクライアント装置の制御方法であって、
複数のアプリケーションを実行可能なウィンドウシステムを提供する提供工程と、
前記ウィンドウシステムにおいてアプリケーションを利用可能に表示する表示工程と、
前記ウィンドウシステムにおける最前面のウィンドウのキャプション名を取得する取得工程と、
取得した前記キャプション名を、取得した取得日時を含む取得情報とともに、当該クライアント装置の動作を管理する管理サーバ装置へ送信する送信工程と、
を備えることを特徴とするクライアント装置の制御方法が提供される。
【手続補正９】
【補正対象書類名】明細書
【補正対象項目名】００１７
【補正方法】変更
【補正の内容】
【００１７】
また、本発明によれば、ネットワーク上で提供されるアプリケーションを利用するクライアント装置を管理する、管理サーバ装置の制御方法であって、
前記クライアント装置のウィンドウシステムにて取得された、最前面のウィンドウのキャプション名と、その取得日時を含む取得情報とを、該クライアント装置から受信する受信工程と、
前記クライアント装置から受信した前記取得情報により前記キャプション名で識別されるアプリケーションの利用状況を算出する算出工程と、
算出した前記利用状況を記憶手段に記憶させる記憶制御工程と、
を備えることを特徴とする管理サーバ装置の制御方法が提供される。
【手続補正１０】
【補正対象書類名】明細書
【補正対象項目名】００１８
【補正方法】変更
【補正の内容】
【００１８】
また、本発明によれば、
複数のアプリケーションを実行可能なウィンドウシステムを提供する提供手段と、
前記ウィンドウシステムにおいてアプリケーションを利用可能に表示する表示手段と、
前記ウィンドウシステムにおける最前面のウィンドウのキャプション名を取得する取得手段と、
前記キャプション名を取得した取得時間を含む取得情報により前記キャプション名で識別されるアプリケーションの利用状況を算出する算出手段と、
算出した前記利用状況を記憶手段に記憶させる記憶制御手段と、
を備えることを特徴とするクライアント装置が提供される。
【手続補正１１】
【補正対象書類名】明細書
【補正対象項目名】００１９
【補正方法】変更
【補正の内容】
【００１９】
また、本発明によれば、
複数のアプリケーションを実行可能なウィンドウシステムを提供する提供工程と、
前記ウィンドウシステムにおいてアプリケーションを利用可能に表示する表示工程と、
前記ウィンドウシステムにおける最前面のウィンドウのキャプション名を取得する取得工程と、
前記キャプション名を取得した取得時間を含む取得情報により前記キャプション名で識別されるアプリケーションの利用時間を算出する算出工程と、
算出した前記利用状況を記憶手段に記憶させる記憶制御工程と、
を備えることを特徴とするクライアント装置の制御方法が提供される。
【手続補正１２】
【補正対象書類名】明細書
【補正対象項目名】００２０
【補正方法】変更
【補正の内容】
【００２０】
本発明によれば、アプリケーションの現実の利用態様をより正確に把握可能にする技術を提供することができる。